(57)【要約】【課題】マットレス用送風装置を提供する。【解決手段】マットレス用送風装置は、ケース本体１００と、ケース本体１００に設けられ、空気を送風する送風口ユニット２００と、ケース本体１００に設けられる制御スイッチ３００と、を備えている。送風口ユニット２００は、ケース本体１００の表面から外側に向かって所定の長さだけ突出する。これにより、マットレスＭの内部に冷気又は温気を供給する送風の効率性を大幅に向上させるだけではなく、ケース本体１００をマットレスＭから所定の距離だけ離間させる位置に設けることから、送風装置の作動騒音及び振動がマットレスＭに伝わることが防がれ、これに伴い、安楽な熟眠を提供するという効果がある。【選択図】図１
2019037761.tif 000002
【特許請求の範囲】
【請求項１】
ケース本体と、
前記ケース本体に設けられ、空気を送風する送風口ユニットと、
前記ケース本体に設けられる制御スイッチと、を備え、
前記送風口ユニットは、前記ケース本体の表面から外側に向かって所定の長さだけ突出することを特徴とするマットレス用送風装置。
【請求項２】
前記送風口ユニットは、
前記ケース本体に固定される固定ガイド部材と、
前記固定ガイド部材の端部側に対して着脱結合が行われる可動ガイド部材と、
前記固定ガイド部材に一方の端が連結され、他方の端が前記可動ガイド部材に連結される送風ダクトと、から構成されることを特徴とする請求項１に記載のマットレス用送風装置。
【請求項３】
前記送風ダクトは、伸縮自在且つ折曲げ自在な蛇腹管により製作されることを特徴とする請求項２に記載のマットレス用送風装置。
【請求項４】
前記送風ダクトは、マットレスの内部の全体に対して送風圧力が均一に伝わるように独立して分割された複数の構成要素からなることを特徴とする請求項３に記載のマットレス用送風装置。
【請求項５】
前記送風ダクトの長手方向の両端には、送風圧力に順応して回転が行われるようにする軸受けが設けられ、
前記固定ガイド部材及び前記可動ガイド部材には、前記軸受けを回転自在に支持する軸受け収容溝が形成されることを特徴とする請求項４に記載のマットレス用送風装置。
【請求項６】
前記固定ガイド部材及び前記可動ガイド部材は、前記送風ダクトを挟んでそれぞれ上下方向に結合する分割組み立て体により製作されることを特徴とする請求項５に記載のマットレス用送風装置。
【請求項７】
前記固定ガイド部材及び前記可動ガイド部材には、相互間の着脱結合が行われるワンタッチ締結部が形成されることを特徴とする請求項６に記載のマットレス用送風装置。
【請求項８】
前記可動ガイド部材の内部には、異物が侵入することを防ぐろ過網が設けられることを特徴とする請求項２〜７のいずれか１項に記載のマットレス用送風装置。
【発明の詳細な説明】
【技術分野】
【０００１】
本発明は、マットレス用送風装置に係り、更に詳しくは、使用者が横たわるマットレスの内部に空気を注入して快適な睡眠を誘導するマットレス用送風装置に関する。
【背景技術】
【０００２】
一般に、マットレス（ｍａｔｔｒｅｓｓ）は、安楽な姿勢で休息や睡眠がとれるように、弾性部材が組み込まれた製品、又は、弾性に優れた材質からなる製品である。
【０００３】
すなわち、前記マットレスは、高い弾性を有する材質の繊維を複数枚積み重ねたり、比較的に高い強度を有する繊維を上面及び下面に設け、これらの間に金属バネなどの弾性部材を介在したりすることにより、上下方向の弾性が生成されて、使用者が横たわったとき、緩衝作用をして快適な睡眠が取れるようにする。
【０００４】
しかしながら、通常のマットレスは、使用者が睡眠を取るとき、周りの温度を問わずに、温度が周りの温度に応じて保たれる。したがって、周りの温度が高くなると、マットレスの温度もまた高くなり、周りの温度が低くなると、マットレスの温度もまた低くなるため、真夏や真冬には暑過ぎたり寒過ぎたりするため、使用者が快適な睡眠を取り難い。
【０００５】
このような従来のマットレスの欠点を補うために、内部に電熱線を所定の形状に配置し、電源を繋いで電気を供給することにより、マットレスを加熱可能な電気マットレスや、水が入れられる板状のチューブで内部に水を供給し、これにより、マットレスの温度が低く保てるタイプの水マットレスなどが開発されている。
【０００６】
しかしながら、電気マットレスは、多量の電磁波が発生して健康に悪く、且つ、電気抵抗を用いる方式であるが故に、電力の消耗が多いというデメリットがある。また、電気マットレスは、重なり合ったりする場合、内部に配置された電熱線同士が短絡することが懸念され、この場合、火災が起きる虞があるなど、深刻なデメリットを有する。
【０００７】
更に、水マットレスもまた、板状のチューブの内部に水を満たし、温度を冷却又は加熱するために熱線を用いる場合がほとんどであり、この場合、上述した電気マットレスと同じ問題を有しているだけではなく、水マットレスは内部に水を入れているため、チューブが引きちぎれたり破裂したりする場合、感電のリクスが高いという問題を抱えている。
【０００８】
最近では、上述した問題を解消するための他の方案として、マットレスの内部に空気を注入する送風装置が開発されている。
【０００９】
しかしながら、従来の技術によるマットレス用送風装置は、単に送風機から発生する送風力がマットレスに直接的に伝わる仕組みとなっているため、マットレスの一方の側および他方の側に対する送風圧の偏差が激しくなるという技術的限界があった。
【００１０】
また、従来の技術によるマットレス用送風装置に適用された送風口は、マットレスが設けられる高低位置に対応して送風口の位置を可変にできないという問題があった。
【００１１】
さらに、従来の技術によるマットレス用送風装置は、本体それ自体が直接的にマットレスに固設される仕組みとなっているため、送風装置の作動に際して生じる振動がマットレスに直接的に伝わって、安楽な熟眠がとれないという構造的な問題があった。
【先行技術文献】
【特許文献】
【００１２】
【特許文献１】大韓民国特許公開第１０−２００７−００５９９１１号公報（２００７．０６．１２）
【特許文献２】大韓民国実用新案登録第２０−０３２１０６０号公報（２００３．０７．１１）
【特許文献３】大韓民国特許登録第１０−１２５８１１３号公報（２０１３．０４．１９）
【発明の概要】
【発明が解決しようとする課題】
【００１３】
本発明は、上述した従来の技術の問題を解消するために案出されたものであり、その目的は、送風器本体の上下部の方向の切り換えを可能にする受け台を構成して、状況による送風口の高低位置を効率よく可変にするマットレス用送風装置を提供することである。
【００１４】
また、本発明の他の目的は、送風器本体の作動の際に生じる振動がマットレスに直接的に伝わることを防いで安楽な熟眠を誘導するマットレス用送風装置を提供することである。
【００１５】
さらに、本発明のまた他の目的は、送風ダクトは、独立して分割された複数の構成要素からなるので、マットレスの内部の全体に対して送風圧力が均一に伝わるように送風圧力の強さをより一層向上させることができるマットレス用送風装置を提供することである。
【課題を解決するための手段】
【００１６】
上述した目的を達成するために、本発明に係るマットレス用送風装置は、ケース本体と、前記ケース本体に設けられ、空気を送風する送風口ユニットと、前記ケース本体に設けられる制御スイッチと、を備え、前記送風口ユニットは、前記ケース本体の表面から外側に向かって所定の長さだけ突出することを特徴とする。
【００１７】
前記送風口ユニットは、前記ケース本体に固定される固定ガイド部材と、前記固定ガイド部材の端部側に対して着脱結合が行われる可動ガイド部材と、前記固定ガイド部材に一方の端が連結され、他方の端が前記可動ガイド部材に連結される送風ダクトと、から構成されることを特徴とする。
【００１８】
前記送風ダクトは、伸縮自在且つ折曲げ自在な蛇腹管により製作されることを特徴とする。
【００１９】
前記送風ダクトは、マットレスの内部の全体に対して送風圧力が均一に伝わるように独立して分割された複数の構成要素からなることを特徴とする。
【００２０】
前記送風ダクトの長手方向の両端には、送風圧力に順応して回転が行われるようにする軸受けが設けられ、前記固定ガイド部材及び可動ガイド部材には、前記軸受けを回転自在に支持する軸受け収容溝が形成されることを特徴とする。
【００２１】
前記固定ガイド部材及び可動ガイド部材は、前記送風ダクトを挟んでそれぞれ上下方向に結合する分割組み立て体により製作されることを特徴とする。
【００２２】
前記固定ガイド部材及び可動ガイド部材には、相互間の着脱結合が行われるワンタッチ締結部が形成されることを特徴とする。
【００２３】
前記可動ガイド部材の内部には、異物が侵入することを防ぐろ過網が設けられることを特徴とする。
【発明の効果】
【００２４】
上述したような構成を有する本発明によれば、ケース本体の表面から外側に向かって所定の長さだけ突出し、伸縮可能な構造の送風口ユニットを構成することにより、前記マットレスの内部に冷気又は温気を供給する送風の効率性を大幅に向上させるだけではなく、ケース本体をマットレスから所定の距離だけ離間させる位置に設けることから、送風装置の作動騒音及び振動がマットレスに伝わることが防がれ、これに伴い、安楽な熟眠を提供するという効果がある。
【００２５】
また、独立して分割された複数の構成要素からなる送風ダクトを構成することにより、マットレスの内部の全体に対して送風圧力が均一に伝わるように送風圧力の強さをより一層向上させることができるという効果がある。
【図面の簡単な説明】
【００２６】
【図１】本発明の実施形態に係るマットレス用送風装置がマットレスに取設された様子を示す斜視図である。
【図２】本発明の実施形態に係るマットレス用送風装置の構成を示す斜視図である。
【図３】図１のケース蓋体及び受け台の着脱結合構造及び構成を示す分解斜視図である。
【図４Ａ】図１のケース本体に対して送風口ユニットの高低位置を切り換える前の状態を示す側面図である。
【図４Ｂ】図１のケース本体に対して送風口ユニットの高低位置を切り換えた後の状態を示す側面図である。
【図５】図２の送風口ユニットの部分拡大図である。
【図６】図５の分解斜視図である。
【図７】図５の送風口ユニットの作用状態を示す斜視図である。
【図８】図１の受け台の構成及び構造を示す斜視図である。
【図９】図１の受け台の構成及び構造を示す斜視図である。
【発明を実施するための形態】
【００２７】
以下、添付図面に基づいて、本発明に係るマットレス用送風装置の好適な実施形態について詳細に説明する。参考までに、本明細書及び特許請求の範囲において用いられた用語及び単語は、通常的又は辞書的な意味に限定して解釈されてはならず、発明者が自分の発明を最良の方法で説明するために用語の概念を適切に定義することができるという原則を踏まえて、本発明の技術的思想に基づく意味及び概念として解釈しなければならない。なお、本明細書に記載の実施形態及び図示の構成は、本発明の最適な一実施形態に過ぎず、本発明の技術的思想をいずれも代弁するものではないため、本願の出願時点においてこれらに代え得る様々な均等物及び変形例があり得るということを理解しなければならない。
【００２８】
以下、添付の図１から図９に基づいて、本発明の好適な実施形態について詳細に説明する。
【００２９】
同図に示すように、本発明に係るマットレス用送風装置は、冷暖房に必要な冷気又は温気を生成する熱交換手段を有するケース本体１００と、前記ケース本体１００に設けられ、冷気又は温気を外部に送風する送風口ユニット２００と、前記ケース本体１００に設けられる制御スイッチ３００と、前記ケース本体１００を地面に安定的に固定する受け台４００と、を備えてなる。
【００３０】
まず、前記ケース本体１００は、所定の体積及び大きさを有するボックス状構造物であり、内部には冷暖房に必要な冷気又は温気を生成する熱交換手段（図示せず）が設けられる。
【００３１】
前記熱交換手段は、冷房及び暖房を実現する構成要素であり、夏場には冷気を送出してマットレスＭの内部の温度を低くすることにより、快適な寝つきを実現し、冬場には温気を送出して暖かい寝つきを実現する温度調節装置である。
【００３２】
前記熱交換手段は、ヒートポンプ式に製作されてもよく、熱電素子を用いた構成に製作してもよく、このような構成は、当業界における周知の技術であるため、その具体的な構成及び作用についての説明は省略する。
【００３３】
また、前記ケース本体１００の一方の側には、外部の空気を吸い込む吸込み口１０１が形成され、他方の側には、冷気又は温気を外部に送風する送風口ユニット２００が設けられる。
【００３４】
前記吸込み口１０１を形成したケース本体１００の一方の側は、着脱結合可能な構造のケース蓋体１１０により製作される。
【００３５】
すなわち、前記ケース蓋体１１０を開閉する構造によって前記ケース本体１００の内部の掃除及びメンテナンスが行われることが可能である。
【００３６】
前記ケース蓋体１１０の裏面には、前記吸込み口１０１を介して流れ込む空気に含まれている異物をろ過するフィルタ部材１０２が設けられる（図３参照）。
【００３７】
更に、前記ケース蓋体１１０を取り外した状態の前記ケース本体１００の上部及び下部には、後述する受け台４００と対応して、相補的な着脱結合が行えるように着脱結合溝１２０が形成される。
【００３８】
つまり、前記着脱結合溝１２０は、前記ケース本体１００が受け台４００に単に載せられる構造に設けられるわけではなく、前記受け台４００の構成要素と物理的に結合される構造の溝を設けることにより、前記ケース本体１００及び受け台４００間の結合強度を大幅に向上させることができる。
【００３９】
また、本発明に係る前記ケース本体１００の上部及び下部には、側面の厚さが、一方の側から他方の側へ向かって次第に薄くなる斜め曲げ率部１０３が形成される。
【００４０】
すなわち、図４Ａおよび図４Ｂに示すように、前記ケース本体１００の上部及び下部の側面の厚さを同じ規格の形状に製作することにより、前記受け台４００がケース本体１００の上部又は下部に対してそれぞれ結合が行われるようにするためである。
【００４１】
これは、マットレスＭの高低位置に応じて、後述する送風口ユニット２００の高低位置を上方又は下方に可変にするためである。
【００４２】
換言すると、マットレスＭがマットレスフレームに置かれる場合、前記送風口ユニット２００は高い個所に位置するように前記ケース本体１００の下部に受け台４００を結合させ、逆に、マットレスＭが地面の近くに位置する場合、前記送風口ユニット２００が下側に位置するように前記ケース本体１００の上部に受け台４００を結合させた状態で、前記ケース本体１００を１８０°回転させて前記送風口ユニット２００の高低位置を可変にしてもよい。
【００４３】
このように、前記ケース本体１００は、前記受け台４００が結合する位置に応じて、前記送風口ユニット２００の上下方向の高低位置が切り換えられるようにすることを技術的な特徴とするものである。
【００４４】
いうまでもなく、前記ケース本体１００の上部及び下部に形成される着脱結合溝１２０は、当然のことながら、普段は、前記ケース蓋体１１０及び受け台４００の構成によって外部に露出されないきれいな見栄えを保持する。
【００４５】
併せて、前記ケース本体１００には、他の場所に運び易いように把持用溝１３０が形成される。
【００４６】
また、前記ケース本体１００の周縁方向の一部の領域には、熱交換手段の作動状態を報知する照明灯（図示せず）を設けてもよい。
【００４７】
つまり、前記熱交換手段が冷房動作を行うと、前記照明灯は青色の光を照射するようにし、前記熱交換手段が暖房動作を行うと、赤色の光を照射するようにすることで、使用者に現在の作動状態を手軽に把握せしめる。
【００４８】
前記送風口ユニット２００は、前記ケース本体１００の他方の側の上部に設けられるものであり、前記熱交換手段において生成された冷気又は温気をマットレスＭの内部に送風する役割を果たす。
【００４９】
本発明に係る前記送風口ユニット２００は、前記ケース本体１００の表面から外側に向かって突出するようになっている。
【００５０】
このような突出した構造の送風口ユニット２００は、前記マットレスＭの内部に冷気又は温気を供給する結合構造を提供する上で非常に有効である。
【００５１】
具体的に、前記送風口ユニット２００は、前記ケース本体１００に固定される固定ガイド部材２１０と、前記固定ガイド部材２１０の端部側に対して着脱結合が行われる可動ガイド部材２２０と、前記固定ガイド部材２１０に一方の端が連結され、他方の端が前記可動ガイド部材２２０に連結される送風ダクト２３０と、から構成される。
【００５２】
ここで、前記送風ダクト２３０は、伸縮自在且つ折曲げ自在な蛇腹管により製作される。
【００５３】
このように、蛇腹管構造に製作された送風ダクト２３０は、マットレスＭから前記ケース本体１００を所定の距離だけ離間させる位置に設けることができるだけではなく、前記マットレスＭと送風口ユニット２００との間の高低差に対しても効果的に対応することができる。
【００５４】
また、前記送風ダクト２３０は、独立して分割された複数の構成要素により製作することが好ましい。
【００５５】
すなわち、独立した送風ダクト２３０は、前記マットレスＭの内部の全体に対して安定的な風力の強さを伝えることができる。
【００５６】
換言すれば、送風ダクト２３０を小直径の複数の管により製作する理由は、ベルヌーイに定義された原理、つまり、気体が大直径の通路を移動するときの速度よりも、小直径の通路を移動するときの気体の流動速度の方が更に高いという原理に基づいて、マットレスＭの内部の全体に対して送風圧力が均一に伝わるように送風圧力の強さをより一層向上させることができるという効果を奏するからである。
【００５７】
併せて、前記送風ダクト２３０の長手方向の両端には、送風圧力に順応して回転が行われるようにする軸受け２４０が設けられる。
【００５８】
すなわち、前記送風ダクト２３０を介して流動する空気の圧力に対応して、前記送風ダクト２３０の回転が自然に行われるようにする構成要素を追加することにより、前記送風ダクト２３０の耐久性をより一層向上させることができる。
【００５９】
ここで、前記軸受け２４０としては、スラスト軸受けを用いることが好ましい。
【００６０】
また、前記固定ガイド部材２１０及び可動ガイド部材２２０には、前記軸受け２４０を回転自在に支持する軸受け収容溝２０１が形成される。
【００６１】
このとき、前記軸受け収容溝２０１もまた、前記送風ダクト２３０の独立した構造に対応するそれぞれの独立した構造に形成されるということはいうまでもない。
【００６２】
併せて、前記固定ガイド部材２１０及び可動ガイド部材２２０は、前記送風ダクト２３０を挟んでそれぞれ上下方向に結合する分割組み立て体２１０ａ、２１０ｂ、２２０ａ、２２０ｂにより製作される。
【００６３】
更に、前記固定ガイド部材２１０及び可動ガイド部材２２０には、相互間の着脱結合が行われるワンタッチ締結部２５０が形成される。
【００６４】
すなわち、マットレス用送風装置を使用しない場合、前記送風口ユニット２００が突出しないことから、体積を最小化させることができるだけではなく、前記送風ダクト２３０が外部に露出されることを防いで、毀損及び変形が生じないように安全に保護することができるという効果を奏する。
【００６５】
更にまた、前記可動ガイド部材２２０の内部には、所定の大きさの異物が侵入することを防ぐろ過網２２１が設けられる。
【００６６】
一方で、前記制御スイッチ３００は、前記ケース本体１００又はケース蓋体１１０に設けられるものであり、前記熱交換手段を選択的に制御すると共に、ケース本体１００の電源及び風力に対する機能的な作動を制御する役割を果たす。
【００６７】
ここで、前記制御スイッチ３００は、ケース蓋体１１０に設けられることが好ましく、たとえ前記ケース蓋体１１０の位置が前記ケース本体１００に対して１８０°可変となるような着脱結合が行われるとしても、電源及び信号線がオフになることなく、結合した位置に合わせて電源及び信号線が自動的に接続されるポゴピン（ｐｏｇｏ ｐｉｎ）の構成要素が設けられる。
【００６８】
このような前記制御スイッチ３００は、当業界において汎用されている公知の技術と同一又は略同一であるため、その具体的な構成及び作用についての説明は省略する。
【００６９】
一方、前記受け台４００は、前記ケース本体１００との着脱結合が行われる構成要素であって、前記ケース本体１００を地面に安定的に固定するとともに、上述したように、前記ケース本体１００の上部又は下部の着脱結合溝１２０に結合する位置に応じて前記送風口ユニット２００の上下方向の高低位置を切り換える役割を果たす。
【００７０】
本発明に係る前記受け台４００は、前記斜め曲げ率部１０３と一致する状態で接する結合面４１１を形成した第１の斜め受け部４１０と、前記第１の斜め受け部４１０と連結され、対向する方向に延びる第２の斜め受け部４２０と、から構成される。
【００７１】
つまり、前記受け台４００を側面から眺めるとき、前記第１の斜め受け部４１０及び第２の斜め受け部４２０間の連結構造は、略「∧」の字状を呈する。
【００７２】
特に、前記第１の斜め受け部４１０には、前記着脱結合溝１２０に対応して結合が行われる少なくとも一つ以上の結合突出部４１２が形成される。
【００７３】
すなわち、前記結合突出部４１２が前記ケース本体１００の着脱結合溝１２０に進入して両者間の結合が行われることから、前記ケース本体１００と受け台との間の結合に際して両者間の結束力を極大化させることができる。
【００７４】
ここで、前記結合突出部４１２は、前記第１の斜め受け部４１０の長手方向の一方の側及び他方の側にそれぞれ形成される２つの構成要素により製作することが好ましい。
【００７５】
また、前記結合突出部４１２の一方の側には、係止突起４１３ａを形成した弾性締結片４１３が形成され、前記着脱結合溝１２０には、係止突起４１３ａを収容する係止溝（図示せず）が形成される。
【００７６】
これは、前記着脱結合溝１２０に結合した結合突出部４１２が任意の外部の圧力によって係脱してしまうことを防ぐ役割を果たす。
【００７７】
つまり、前記受け台４００を直線方向に引っ張る所定の圧力を伝えてはじめて、前記着脱結合溝１２０及び結合突出部４１２間の結束力が解除できるようにするためである。
【００７８】
更に、前記結合突出部４１２は、下部から上部へ向かって断面の厚さが薄くなるように製作することが好ましい。
【００７９】
これは、前記着脱結合溝１２０と結合突出部４１２との間の着脱結合がより一層円滑に行われるようにするためである。
【００８０】
更にまた、前記第１の斜め受け部４１０には、前記結合突出部４１２よりも小さな多数の補助結合リブ４１４が形成される。
【００８１】
いうまでもなく、前記ケース本体１００の上部及び下部には、当然のことながら前記補助結合リブ４１４を収容する補助結合溝１２１が形成される（図３参照）。
【００８２】
加えて、前記第２の斜め受け部４２０は、地面と接触する底面の形状が矩形状を呈する。
【００８３】
これは、地面と接触する面積を広げて、それに伴う摩擦力を大幅に向上させるためである。
【００８４】
また、前記結合面４１１の周縁方向の周りには、前記ケース本体１００の上部又は下部の外壁面との緊密な密閉結合が行われるように密閉用パッド（図示せず）が設けられてもよい。
このような前記受け台４００の構成要素によって、前記ケース本体１００は安定的な直立姿勢を保つことができる。
【００８５】
上述した本発明は、上述した実施形態及び添付の図面によって何等限定されるものではなく、本発明の技術的思想を逸脱しない範囲内において種々の置換、変形、及び変更を加えることが可能であるということは、本発明が属する技術分野において通常の知識を有する者にとって自明である。
【符号の説明】
【００８６】
１００  ケース本体
１１０  ケース蓋体
１２０  着脱結合溝
２００  送風口ユニット
２１０  固定ガイド部材
２２０  可動ガイド部材
２３０  送付ダクト
２４０  軸受け
２５０  ワンタッチ締結部
３００  制御スイッチ
４００  受け台
【図１】
2019037761.tif 000003
【図２】
2019037761.tif 000004
【図３】
2019037761.tif 000005
【図４Ａ】
2019037761.tif 000006
【図４Ｂ】
2019037761.tif 000007
【図５】
2019037761.tif 000008
【図６】
2019037761.tif 000009
【図７】
2019037761.tif 000010
【図８】
2019037761.tif 000011
【図９】
2019037761.tif 000012